(57)【要約】【課題】イヤホンキャップやコネクタキャップなどのキャップの装着が容易で、かつ、筐体部分に確実に止め付け、しかもそのキャップを比較的簡単な形状に形成する。【解決手段】外部機器との接続を図る接続端子１３Ａを設けた端子室１３と、端子室１３を開閉自在に閉鎖する弾性のキャップ３と、キャップ３に設けた被取付部３Ａを着脱可能に取付ける取付部１４と、内蔵する各種電子部品の給電用の電池パックを着脱自在に収める電池室１１とを備えた携帯電子機器であって、取付部１４を下側筐体１の電池室１１近傍の外周面を臨む所定部位に形成し、取付部１４に装着後のキャップ３の被取付部３Ａを、電池蓋１２で固定するように構成した。【選択図】  図１
2004214969.tif 000002
【特許請求の範囲】
【請求項１】
筐体外面に形成し外部機器との接続を図る接続端子を収めた端子室と、前記端子室を開閉自在に閉止する弾性のキャップと、前記端子室近傍に形成し前記キャップに設けた被取付部を着脱可能に取付ける取付部と、筐体に備える各種電子部品に給電する電池を着脱自在に収める電池室とを備えた携帯電子機器であって、
前記取付部は、前記電池室近傍の前記筐体外周面を臨む所定部位に形成されているとともに、
前記取付部に装着後の前記キャップの被取付部は、前記電池室に着脱自在に止着する電池蓋で固定するように構成したことを特徴とする携帯電子機器。
【請求項２】
前記キャップの被取付部は、括れた首部と、前記首部で連結され前記首部よりも拡大した抜止部とを有するとともに、
前記筐体側の取付部は、前記キャップ側の前記首部及び抜止部を落とし込んで嵌合させる連通穴と、抜止穴とを有することを特徴とする請求項１に記載の携帯電子機器。
【請求項３】
前記電池蓋には、前記筐体の前記電池室を設けた背面に沿ってスライドさせて装着するフック部を有するとともに
前記筐体には、前記フック部を固定する穴を前記背面にほぼ平行方向に有することを特徴とする請求項１または２に記載の携帯電子機器。
【発明の詳細な説明】
【０００１】
【発明の属する技術分野】
本発明は、外部の各種電子機器などと接続するコネクタやイヤホンジャックなどの信号入出力用等の接続端子を収容した端子室と、電池を収める電池室などとを備えた携帯電話機などの携帯電子機器に関するものである。
【０００２】
【従来の技術】
携帯電話機などの携帯端末機器には、通常、充電用コネクタや、ハンズフリーなどのユーザの要望に応えるためにイヤホンマイクと接続されたプラグを差し込んでイヤホンマイクと電気的に接続するイヤホンジャック（或いはＨ．Ｓ．Ｊ；ヘッド・セット・ジャック）などが設けられている。
【０００３】
また、このようなコネクタやイヤホンジャックなどは、普段使用しない場合、キャップを被せてこれらのコネクタやジャックなどを外部から保護するようになっている（例えば、特許公報１参照。）。
【０００４】
以下、このイヤホンキャップを備えた携帯電話機の一例について、図面を参照しながら説明する。
図６は、携帯電話機１００へのイヤホンキャップ２００の装着状態を示す要部断面図であり、筐体１０１内部にはイヤホンジャック１１０（或いはコネクタなどでもよい）を設けているとともに、このイヤホンジャック１１０を筐体１０１外部に露出可能とするためこれに対応する筐体１０１には開口部１０１Ａが開口されている。
【０００５】
一方、イヤホンキャップ２００は、通常、可撓性を有する弾性材料で形成されている。また、このイヤホンキャップ２００には、筐体１０１の開口部１０１Ａを塞ぐための蓋部２０１と、この蓋部２０１の内面の一端部から延出して開口溝１０１Ｂに挟み込まれる首部２０２と、首部２０２よりも大きく形成され首部２０２を介して蓋部２０１と連結される係合部２０３とを備えており、この係合部２０３で筐体１０１側に開閉自在の状態で取付けられている。
【０００６】
ところで、イヤホンキャップ２００は、首部２０２が開口溝１０１Ｂで挟持・嵌合された状態のまま、係合部２０３が筐体１０１の中に係止されているので、イヤホンキャップ２００を開閉する場合には、図６において、イヤホンキャップ２００が筐体１０１から離脱しないようになっている。
【０００７】
従って、例えば携帯電話機１００側のイヤホンジャック１１０へ図示外のイヤホンマイクなどの外部機器を接続させる場合には、▲１▼初めに、携帯電話機側のイヤホンキャップを開いて開口部１０１Ａからイヤホンジャック１１０を外部に露出さる。▲２▼次に、イヤホンマイクなどの外部機器に設けているプラグ３００（或いはコネクタ）を開口部１０１Ａから内部に差し込み、開口部１０１Ａ内のイヤホンジャック１１０に差し込む。これにより、イヤホンマイクなどの外部機器が携帯電話機１００側と電気的に接続できる。
【０００８】
【特許文献１】
特開２００２−９９１１号公報（第２頁、図５）
【０００９】
【発明が解決しようとする課題】
しかしながら、このようなイヤホンキャップにあっては、これを筐体側の取付孔に装着させて簡単に外れないようにするために、例えば、その取付孔にキャップの係合部を押込んで差込んだ後、その係合部を中心としてキャップを押回して９０度回転させるなどといった面倒な装着操作を必要としていた。
【００１０】
しかも、携帯電話機が小型であるため、本来小さなサイズであるキャップにあって、このような面倒な装着動作を行わせるために、それ自体の形状が複雑なものが多くなってきており、このキャップを弾性材料で成形するには、形状が複雑となる分、コストの増大をもたらしている。
【００１１】
ところで、近年、このような携帯電話機などの携帯端末装置にあっては、前述したハンズフリーばかりでなく、ユーザの幅広い要求に応えるために、例えば音楽配信やその他の各種機能やサービスなどを受けるために、各種の専用機器や外部機器、例えばＰＤＡ、モバイルツール、ポケット型ゲーム機器、カメラ機器、ナビゲーション機器などを適宜接続して使用できるデータ通信用コネクタなどが開発されている。このため、ジャックやコネクタなどを介してこれらの専用機器などとを接続する際のキャップの開閉頻度が増大する傾向にある。
【００１２】
しかも、キャップ自体は材質的にゴムなどの弾性材料を使用して形成している関係から耐久性がそれ程高くないうえに、開閉操作の際に応力が集中する首部は形状的にも細くて脆弱であり、長期間に亙る使用に伴い疲労によりひびが入り、切断されたり引きちぎられ易いといった問題をしばしば生じている。
【００１３】
このような事情から、キャップが破損した場合などに備えて簡単に交換できるキャップ構造の開発が強く求められているが、その一方、普段のキャップの開閉操作の際に、そのキャップが簡単に抜け落ちたりすることがないようなキャップ構造の開発要求も高まっている。換言すれば、交換が容易であるとともに、確実に止め付けることができるキャップ構造の開発が切望されている。
【００１４】
本発明は、上記した事情に鑑み、イヤホンキャップやコネクタキャップなどのキャップの装着が容易で、かつ、筐体部分に確実に止め付けておくことができ、しかもそのキャップを比較的簡単な形状に形成することができる携帯電子機器を提供することを目的とするものである。
【００１５】
【課題を解決するための手段】
本発明の携帯電子機器は、筐体外面に形成し外部機器との接続を図る接続端子を収めた端子室と、前記端子室を開閉自在に閉止する弾性のキャップと、前記端子室近傍に形成し前記キャップに設けた被取付部を着脱可能に取付ける取付部と、筐体に備える各種電子部品に給電する電池を着脱自在に収める電池室とを備えた携帯電子機器であって、
前記取付部は、前記電池室近傍の前記筐体外周面を臨む所定部位に形成されているとともに、
前記取付部に装着後の前記キャップの被取付部は、前記電池室に着脱自在に止着する電池蓋で固定するように構成したことを特徴としている。
【００１６】
これにより、電池蓋の装着力を利用してキャップを固定することができるので、キャップの形状を複雑にして抜け止めを図る構造でなくても済むようになるので、キャップの形状が簡易で済み、その結果、キャップの装着も容易になる。しかも、電池蓋の装着力を利用できるので、この固定力を利用してキャップを一層確実に止め付けておくことができるようになる。
【００１７】
また、本発明の携帯電子機器は、前記キャップの被取付部が、括れた首部と、前記首部で連結され前記首部よりも拡大した抜止部とを有するとともに、
前記筐体側の取付部は、前記キャップ側の前記首部及び抜止部を落とし込んで嵌合させる連通穴と、抜止穴とを有することを特徴としている。
【００１８】
これにより、キャップの装着操作は、キャップを筐体の取付部へ上から落とし込むだけのワンアクションで済むので、従来のような複雑な操作が不要であり、操作に不慣れな使用者でも簡単に装着できる。
【００１９】
また、本発明の携帯電子機器は、前記電池蓋に、前記筐体の前記電池室を設けた背面に沿ってスライドさせて装着するフック部を有するとともに
前記筐体には、前記フック部が係止する前記背面にほぼ平行方向な係止穴を有することを特徴としている。
【００２０】
これにより、電池蓋を筐体背面とほぼ平行な方向にスライドさせて筐体に止め付けると、電池蓋の突起が係止穴に入り込んで嵌合又は係止するために、単純な機構で簡単な止着操作及び確実な止着力が発揮できる。
【００２１】
【発明の実施の形態】
以下、本発明に係る実施の形態について、添付図面を参照しながら詳細に説明する。
図１は本発明の実施の形態に係る携帯電話機を示すものであり、この携帯電話機は、下側筐体１と、図示外の上側筐体と、これらの筐体を連結するヒンジ部２とを備えた折畳式の携帯電話機で構成されており、下側筐体１の（上側筐体と対向する）内面（表面）１Ａとは逆の外面（背面）１Ｂには、図示外の電池パックを着脱自在に収納するために略方形状で断面略凹形状の電池室１１が形成されているとともに、この電池室１１には電池蓋１２が取外し可能な状態で装着されている。
【００２２】
さらに、下側筐体１には、一方側面１Ｃに設けた端子室１３と、この端子室１３を閉鎖するためのイヤホンキャップ３を装着する取付部１４と、ヒンジ部２を取付けている一方側端面（上端面）１Ｄとは逆の他方側端面（下端面）１Ｅに設けたコネクタ室（図略）と、このコネクタ室にコネクタキャップ４を装着する装着部１５などとを備えている。
【００２３】
電池室１１の近傍には、この電池室１１の４辺を囲設するステップ面１１Ａ〜１１Ｄと、ステップ面１１Ａ、１１Ｂを取り囲む縦壁１１Ｅ，１１Ｆと、この縦壁１１Ｅ，１１Ｆに形成した係止穴１１Ｇ，１１Ｈとが設けられている。さらに、この電池室１１の近傍には、ステップ面１１Ｃ、１１Ｄから電池室１１に落ち込んだ縦壁１１Ｉ，１１Ｊに鉤溝１１Ｋ，１１Ｌが設けられている。
【００２４】
電池蓋１２は、電池室１１に装着して電池パックが脱落しないように電池室１１を閉鎖するばかりでなく、図５に示すように、取付部１４に装着するイヤホンキャップ３の後述する被取付部３Ａを上から押え付けて固定・保持する機能も有しており、図１において、外面１Ｂに略平行な状態で、左（Ｂ）方向からステップ面１１Ｃ，１１Ｄに沿って滑り込ませるようにして装着させるようになっている。
【００２５】
なお、この実施の形態の電池蓋１２では、前述したようなイヤホンキャップ３の被取付部３Ａを固定する機能のほかに、コネクタキャップ４の後述する被装着部４Ａを固定する機能も同時に備えている。
【００２６】
このため、電池蓋１２には、長手方向の両側縁部に沿った裏面部分に、鉤形略Ｌ字形状の主フック部１２Ａ，１２Ｂを設けており、前述する電池室１１を囲設する縦壁１１Ｆ，１１Ｆに設けた係止穴１１Ｇ，１１Ｈ（図５参照）にしっかりと係合するようになっている。さらに、この電池蓋１２には、短手方向の両側縁部の近傍に、鉤形略Ｌ字形状で細幅の補助フック部１２Ｃ，１２Ｄを設けており、縦壁１１Ｉ，１１Ｊに形成した鉤溝１１Ｋ，１１Ｌにしっかりと係止するようになっている。
なお、本実施の形態では、横スライドの電池蓋１２について適用したが、この電池蓋１２のスライド方向はこれに限定されるものではなく、例えば縦方向のスライドであっても、同様の効果が得られることは言うまでもない。
【００２７】
端子室１３は、図１に示すように、略丸型で断面略凹形状に穿設しており、端子室１３の室内には、図示外のイヤホンのプラグを差し込んで電気的接続を図るための接続端子（イヤホンジャック）１３Ａが外部に向けて露出するような状態で設置されている。
【００２８】
取付部１４は、イヤホンキャップ３に設けた後述する被取付部３Ａを着脱可能に取付けるためのものであり、図１及び図２に示すように、電池室１１近傍に形成している。即ち、本実施形態の取付部１４は、外面１Ｂから一段低く形成したステップ面１１Ａと一方側面（外周面）１Ｃとの２面に亙って形成しており、側溝１４Ａと、側方凹部１４Ｂと、連通穴１４Ｃと、抜止穴１４Ｄとを備えている。
【００２９】
コネクタ室（図略）は、家庭用の商用電源などと接続して図示外の電池パックへの充電を行うだけでなく、ユーザの幅広い要求に応えるために、各種の外部機器、例えばＰＤＡ、モバイルツール、ポケット型ゲーム機器、カメラ機器、ナビゲーション機器などを適宜接続して使用できるようになっており、このため信号入出力用コネクタ（図略）が設置されている。
【００３０】
装着部１５は、コネクタ室にコネクタを固定・保持するためのものであって、コネクタキャップ４の両側から伸びる２つの薄板状の基部（被装着部）４Ａをそれぞれ収納固定する略矩形状の凹所１５Ａなどで構成されている。この凹所１５Ａには、中央床面から低く突出するピン状の突起にコネクタキャップ４の基部４Ａ中央に穿設した丸穴が係合するようになっているが、さらに、この基部４Ａは電池蓋１２で上から押え付けられて抜止めされるようになっている。
【００３１】
イヤホンキャップ３は、端子室１３を開閉自在に閉鎖するためのものであり、ゴムなど弾性材料でしかも比較的摩擦係数の高い適宜の材料で成形されている。
本実施の形態のイヤホンキャップ３は、図３に示すように、略丸型で栓状の閉止部３１と、この閉止部３１と連結された略薄板状の湾曲部３２と、この湾曲部３２の裏面から伸びる首部３３で連結された略箱状の抜止部３４とを有する比較的単純な形状のものである。なお、このイヤホンキャップ３を摩擦係数の高い材料で形成することにより、端子室１３に装着する閉止部３１や、側溝１４Ａと側方凹部１４Ｂに取付ける湾曲部３２などが簡単には抜け出さないようすることができる。
【００３２】
このうち、首部３３及び抜止部３４は、被取付部３Ａを構成しており、これらが下側筐体１の取付部１４の開口する上部側からそのまま落とし込んで嵌合させることができるように構成されている。なお、湾曲部３２は、図２に示す取付部１４の側溝１４Ａ及び側方凹部１４Ｂに取り出し自在な状態で嵌まり込んでいる。これにより、イヤホンキャップ３は下側筐体１の側面に全て埋め込まれた状態となっており、閉止部３１の一部（例えば、端子室１３を開くために閉止部３１を取り外すときに、爪などで係止させるための部分）を除き外部へ突出しないように構成されている。
【００３３】
次に、本実施の形態に係るイヤホンキャップ３が破損したり破断したような場合に、このイヤホンキャップを交換するときの交換作業について説明する。
（１）はじめに、図５において、下側筐体１の外面（背面）１Ｂに設けた電池蓋１２を装着（Ｂ）方向とは逆方向に向けて押し出すと、図１に示す電池蓋１２の裏面に設けてある主フック部１２Ａ，１２Ｂが、それぞれ、係止穴１１Ｇ，１１Ｈから脱出する。また、補助フック部１２Ｃ，１２Ｄも、鉤溝１１Ｋ，１１Ｌから脱出するため、電池蓋１２が下側筐体１から取り外せるようになる。
【００３４】
（２）そこで、電池蓋１２を取り外して開放した下側筐体１において、ステップ面１１Ａの取付部１４に落とし込んであるイヤホンキャップ３の被取付部３Ａを引き上げて取り出す。なお、この取り出し作業を行う場合、仮に首部３３などが引きちぎれたり切断されて湾曲部３２側と抜止部３４側とが分断されているような場合には、例えば、まず閉止部３１と湾曲部３２側とを側方から抜き外した後、適宜の細い針状の治具などで首部３３を突き刺すなどしながら、抜止部３４を引き上げるようにすれば、簡単に取り外すことができる。
【００３５】
（３）そこで、次に、新しいイヤホンキャップ３を用意して、例えば閉止部３１を一方の手の指で摘んで保持しながら、被取付部３Ａを下側筐体１のステップ面１１Ａに形成した取付部１４の開口部分にあてがいながら、そのまま落とし込ませるか、他方の手の指先で被取付部３Ａを上からＡ方向（図１，４参照）に押し込む。これにより、図４に示すように、キャップ３の被取付部３Ａである首部３３と抜止部３４とが、取付部１４である連通穴１４Ｃと抜止穴１４Ｄ（図２参照）とに完全に嵌まり込むように装着する。
また、イヤホンキャップ３の閉止部３１を端子室１３へ装着するとともに、湾曲部３２を側溝１４Ａと側方凹部１４Ｂとに嵌め込ませる。
【００３６】
（４）最後に、下側筐体１の開口した電池室１１に、電池蓋１２を下側筐体１の背面１Ｂとほぼ平行なＢ方向に沿い（図１参照）、ステップ面１１Ｃ，１１Ｄ上をスライドさせる。このようにして、電池蓋１２を下側筐体１に止め付けると、電池蓋１２の主フック部１２Ａ，１２Ｂが係止穴１１Ｇ，１１Ｈに入り込んで嵌合するとともに、補助フック部１２Ｃ，１２Ｄも、鉤溝１１Ｋ，１１Ｌに係合するので、しっかりと固定される。
【００３７】
（５）これにより、図５に示すように、その電池蓋１１の側縁部１２Ｅが被取付部３Ａの首部３３と抜止部３４との一面（図５で上面）に押し当たり、一面側（図５で上面側）からイヤホンキャップ３の固定・保持をしっかりと行うので、簡単にイヤホンキャップ３の抜け止めが行える。
【００３８】
このように、本実施の形態によれば、サイズの小さなイヤホンキャップ３を比較的単純な形状のもので形成できる。例えば本実施の形態のイヤホンキャップ３は、湾曲部３２から括れた首部３３で連結される抜止部３４を有する簡単な構造のものであるが、電池蓋１２の止着力を利用して固定・保持しているので、確実な抜け止め力と簡単な着脱操作とを、同時に実現可能となっており、構造が単純な分、イヤホンキャップ３を成形するのも容易であり、その結果、製造コストの削減を図ることもできる。
【００３９】
なお、本実施の形態では、本発明を開閉式の携帯電話機１について適用したが、特にこれに限定されるものでなく、棒状（ストレート状）の携帯電話機であっても構わない。また、本発明は、このような各種の携帯電話機に限るものではなく、各種の携帯電子機器に適用可能である。また、本実施の形態では、電池蓋１２と電池パックが別体のもので構成したが、電池蓋１２の裏面にバッテリを一体に固定させた構成のものであってもよい。
【００４０】
【発明の効果】
以上説明してきたように、本発明は、筐体に凹状に設け外部との電気的接続を図る接続端子が露出する端子室と、弾性を有し端子室を開閉自在に閉鎖するキャップと、筐体に形成しキャップに設けた被取付部を着脱可能に取付ける取付部と、筐体に凹状に設け電池を着脱自在に収め電池蓋で閉鎖する電池室とを備えた携帯電子機器であって、取付部を電池室近傍の外周面を臨む部位に形成するとともに、取付部に装着後のキャップの被取付部を、電池室に装着する電池蓋の一部で固定するように構成した。
【００４１】
従って、本発明によれば、イヤホンキャップやコネクタキャップなどのキャップの装着が容易で、かつ、筐体部分に確実に止め付けておくことができ、しかもそのキャップを比較的簡単な形状に形成できるようになる。
【図面の簡単な説明】
【図１】本発明の実施形態に係る携帯電話機の下側筐体から電池蓋を取り外して開いた状態を示す分解斜視図である。
【図２】図１に示す本発明の携帯電話機の下側筐体においてイヤホンキャップを装着する取付部付近を示す要部拡大斜視図である。
【図３】本発明の実施形態に係る携帯電話機に装着するイヤホンキャップを示す拡大断面図である。
【図４】図２に示す本発明の携帯電話機の下側筐体における取付部にイヤホンキャップを装着したときの状態を示す要部拡大斜視図である。
【図５】図１におけるＶ−Ｖ線で切断した要部断面図である。
【図６】従来の携帯電話機の筐体にキャップを装着した状態を示す要部断面図である。
【符号の説明】
１      下側筐体
１Ａ    内面（表面）
１Ｂ    外面（背面）
１Ｃ    一方側面（外周面）
１Ｄ    一方側端面（上端面）
１Ｅ    他方側端面（下端面）
１Ｆ    細幅状の段部
１１    電池室
１１Ｆ，１１Ｆ
縦壁
１１Ｇ，１１Ｈ
係止穴
１１Ｉ，１１Ｊ
縦壁
１１Ｋ，１１Ｌ
鉤溝
１２    電池蓋
１２Ａ，１２Ｂ
主フック部
１２Ｃ，１２Ｄ
補助フック部
１２Ｅ  側縁部
１３    端子（イヤホンジャック）室
１３Ａ  接続端子（イヤホンジャック）
１４    取付部
１４Ａ  側溝
１４Ｂ  側方凹部
１４Ｃ  連通穴（取付部）
１４Ｄ  抜止穴（取付部）
１５    装着部
１５Ａ  凹所
２      ヒンジ部
３      イヤホンキャップ
３Ａ    被取付部
３１    閉止部
３２    湾曲部
３３    首部（被取付部）
３４    抜止部（被取付部）
４      コネクタキャップ
４Ａ    基部（被装着部）
Ａ      （イヤホンキャップの）装着方向
Ｂ      （電池蓋の）装着方向
【図１】
2004214969.tif 000003
【図２】
2004214969.tif 000004
【図３】
2004214969.tif 000005
【図４】
2004214969.tif 000006
【図５】
2004214969.tif 000007
【図６】
2004214969.tif 000008